(57)【要約】【課題】ＬＥＤと太陽電池と二次電池とを含み、所望の色および光量で発光することが可能な照明装置および照明方法を提供する。【解決手段】ＬＥＤ発光部２は、異なる色で発光する複数のＬＥＤを含む。制御部１２は、メモリ１１に記録された色および光量でＬＥＤ発光部２が発光するようにＬＥＤ２ａないし２ｂの光量を制御する。【選択図】図１
2007227324.tif 000002
【特許請求の範囲】
【請求項１】
太陽電池と、前記太陽電池にて発電された電力を充電する二次電池と、前記二次電池から供給される電力にて発光する発光部と、を含む照明装置において、
前記発光部は、異なる色で発光する複数のＬＥＤを含み、
前記発光部の発光色および光量を記録する記録部と、
前記記録部に記録された発光色および光量で前記発光部が発光するように、各ＬＥＤの光量を制御する制御部と、を含むことを特徴とする照明装置。
【請求項２】
請求項１に記載の照明装置において、
所望の色を示す色設定信号を受け付け、該色設定信号を出力する受付部をさらに含み、
前記制御部は、前記受付部から受け付けた色設定信号にて示された色で前記発光部が発光するように、各ＬＥＤの光量を制御する、照明装置。
【請求項３】
請求項１に記載の照明装置において、
所望の光量を示す光量設定信号を受け付け、該光量設定信号を出力する受付部をさらに含み、
前記制御部は、前記受付部から受け付けた光量設定信号にて示された光量で前記発光部が発光するように、各ＬＥＤの光量を制御する、照明装置。
【請求項４】
請求項２に記載の照明装置において、
前記受付部は、所望の光量を示す光量設定信号を受け付け、該光量設定信号を出力し、
前記制御部は、前記受付部から受け付けた光量設定信号にて示された光量で前記発光部が発光するように、各ＬＥＤの光量を制御する、照明装置。
【請求項５】
請求項４に記載の照明装置において、
前記照明装置は、リモートコントローラと無線にて接続され、
前記受付部は、前記リモートコントローラから前記色設定信号および光量設定信号を受け付ける、照明装置。
【請求項６】
太陽電池と、前記太陽電池にて発電された電力を充電する二次電池と、異なる色で発光する複数のＬＥＤを含み前記二次電池から供給される電力にて発光する発光部と、前記発光部の発光色および光量を記録する記録部と、を含む照明装置が行う照明方法であって、
前記記録部に記録された発光色および光量で前記発光部が発光するように、各ＬＥＤの光量を制御する制御ステップと、を含む照明方法。
【請求項７】
請求項６に記載の照明方法において、
所望の色を示す色設定信号を受け付ける受付ステップと、
前記受け付けた色設定信号にて示された色で前記発光部が発光するように、各ＬＥＤの光量を制御する色制御ステップと、をさらに含む照明方法。
【請求項８】
請求項６に記載の照明方法において、
所望の光量を示す光量設定信号を受け付ける光量受付ステップと、
前記受け付けた光量設定信号にて示された光量で前記発光部が発光するように、各ＬＥＤの光量を制御する光量制御ステップと、をさらに含む照明方法。
【請求項９】
請求項７に記載の照明方法において、
所望の光量を示す光量設定信号を受け付ける入力ステップと、
前記受け付けた光量設定信号にて示された光量で前記発光部が発光するように、各ＬＥＤの光量を制御する明るさ制御ステップと、をさらに含む照明方法。
【請求項１０】
請求項９に記載の照明方法において、
前記照明装置は、リモートコントローラと無線にて接続され、
前記受付ステップでは、前記リモートコントローラから前記色設定信号を受け付け、
前記入力ステップでは、前記リモートコントローラから前記光量設定信号を受け付ける、照明方法。
【発明の詳細な説明】
【技術分野】
【０００１】
本発明は、照明装置および照明方法に関し、特には、太陽電池にて発電された電力を充電する二次電池を含む照明装置および照明方法に関する。
【背景技術】
【０００２】
ＬＥＤと太陽電池と二次電池とを含む照明器具が知られている。この照明器具では、日中など周囲が明るい場合、太陽電池が発電する。二次電池は、その発電によって生じた電力を充電する。また、二次電池は、夜間など周囲が暗い場合、ＬＥＤに電力を供給する。ＬＥＤは、二次電池から供給された電力により発光する。
【０００３】
これにより、ユーザは、照明器具を商用電源ラインに有線で接続しなくても、照明器具を点灯させることが可能になっている。このため、ユーザは、例えば、照明器具を商用電源ラインに有線で接続するなどの設置工事を行わなくても、容易に所望の場所に照明器具を設置することが可能になっている。
【０００４】
また、太陽電池が発電した電力が充電されるため、ユーザがメンテナンス（電池の交換または充電）を行わなくても、照明器具は、長い間、動作することが可能になっている。よって、ユーザがメンテナンスを行うために照明器具に近づかなくても良いため、照明器具がユーザの近づきにくい場所に設置されても、ユーザは不便を感じない。
【発明の開示】
【発明が解決しようとする課題】
【０００５】
従来、ＬＥＤと太陽電池と二次電池とを含む照明器具（以下では、コードレスＬＥＤ照明器具という）では、ＬＥＤとして白色ＬＥＤが用いられていた。また、ＬＥＤの光量を設定することが可能なコードレスＬＥＤ照明器具は、見当たらない。
【０００６】
ユーザの好みの色および光量は、ユーザごとに異なる。このため、ユーザは、従来のコードレスＬＥＤ照明器具に満足できない可能性があった。
【０００７】
本発明の目的は、ＬＥＤと太陽電池と二次電池とを含み、所望の色および光量で発光することが可能な照明装置および照明方法を提供することである。
【課題を解決するための手段】
【０００８】
前記目的を達成するために、本発明の照明装置は、太陽電池と、前記太陽電池にて発電された電力を充電する二次電池と、前記二次電池から供給される電力にて発光する発光部と、を含む照明装置において、前記発光部は、異なる色で発光する複数のＬＥＤを含み、
前記発光部の発光色および光量を記録する記録部と、前記記録部に記録された発光色および光量で前記発光部が発光するように、各ＬＥＤの光量を制御する制御部と、を含むことを特徴とする。
【０００９】
また、本発明の照明方法は、太陽電池と、前記太陽電池にて発電された電力を充電する二次電池と、異なる色で発光する複数のＬＥＤを含み前記二次電池から供給される電力にて発光する発光部と、前記発光部の発光色および光量を記録する記録部と、を含む照明装置が行う照明方法であって、前記記録部に記録された発光色および光量で前記発光部が発光するように、各ＬＥＤの光量を制御する制御ステップと、を含む。
【００１０】
上記の発明によれば、発光部は、異なる色で発光する複数のＬＥＤを含む。また、記録部は、発光部の発光色および光量が記録される。さらに、その発光色および光量で発光部が発光するように各ＬＥＤが制御される。
【００１１】
このため、記録部に所望の発光色および光量が記録されれば、照明装置は、所望の色および光量で発光することが可能になる。よって、ＬＥＤと太陽電池と二次電池とを含み、所望の色および光量で発光することが可能になる。
【００１２】
また、所望の色を示す色設定信号を受け付け、該色設定信号を出力する受付部をさらに含み、前記制御部は、前記受付部から受け付けた色設定信号にて示された色で前記発光部が発光するように、各ＬＥＤの光量を制御することが望ましい。
【００１３】
上記の発明によれば、色を示す色設定信号が受け付けられる。また、各ＬＥＤの光量は、その色設定信号にて示される色を発光色として発光部が発光するように制御される。
【００１４】
このため、ユーザは、所望の発光色で照明装置を発光させることが可能になる。
【００１５】
また、前記受付部は、所望の光量を示す光量設定信号を受け付け、該光量設定信号を出力し、前記制御部は、前記受付部から受け付けた光量設定信号にて示された光量で前記発光部が発光するように、各ＬＥＤの光量を制御することが望ましい。
【００１６】
上記の発明によれば、光量を示す光量設定信号が受け付けられる。また、各ＬＥＤの光量は、その光量設定信号にて示される光量で発光部が発光するように制御される。
【００１７】
このため、ユーザは、所望の光量で照明装置を発光させることが可能になる。
【００１８】
また、前記照明装置は、リモートコントローラと無線にて接続され、前記受付部は、前記リモートコントローラから前記色設定信号および光量設定信号を受け付けることが望ましい。
【００１９】
上記の発明によれば、色設定信号および光量設定信号が、リモートコントローラから無線にて受け付けられる。
【００２０】
このため、ユーザは、照明装置から離れた場所からでも、所望の発光色および光量で照明装置を発光させることが可能になる。よって、ユーザが近づくのに困難な場所に、照明装置が設置されても、容易に所望の発光色および光量で照明装置を発光させることが可能になる。
【発明の効果】
【００２１】
本発明によれば、ＬＥＤと太陽電池と二次電池とを含み、所望の色および光量で発光することが可能になる。
【発明を実施するための最良の形態】
【００２２】
以下、本発明の実施例について図面を参照して説明する。
【００２３】
図１は、本発明の一実施例の照明装置を示した回路図である。
【００２４】
図１において、照明装置１は、ＬＥＤ発光部２と、定電流部３と、太陽電池４と、二次電池５と、充電回路６と、起電力検知回路７と、消費電力検知回路８と、満充電検知回路９と、受信部１０と、メモリ１１と、制御部１２とを含む。
【００２５】
なお、照明装置１は、リモートコントローラ１００と無線にて接続される。また、リモートコントローラ１００は、照明装置１を制御する旨の制御信号を、照明装置１に無線にて送信する。例えば、リモートコントローラ１００は、制御信号を赤外線で照明装置１に送信する。
【００２６】
制御信号には、所望の光量を示す光量設定信号と、所望の色を示す色設定信号と、所望の発光モードを示すモード設定信号と、がある。
【００２７】
なお、発光モードには、照明装置が発光色および光量を時間と共に変化させながら発光する自動モードと、時間が経過しても照明装置の発光色および光量が変化しない（照明装置が一定の発光色および光量で発光する）固定モードとがある。
【００２８】
ＬＥＤ発光部２は、様々な発光色（フルカラー）および光量で発光する。
【００２９】
また、ＬＥＤ発光部２は、それぞれ異なる色で発光する複数のＬＥＤを含む。以下では、ＬＥＤ発光部２は、ＬＥＤ２ａないし２ｃを含むことにする。
【００３０】
ＬＥＤ２ａないし２ｃは、それぞれ、異なる色で発光する。以下では、ＬＥＤ２ａを、赤色ＬＥＤとし、ＬＥＤ２ｂを、緑色ＬＥＤとし、ＬＥＤ２ｃを、青色ＬＥＤとする。なお、ＬＥＤ発光部２は、ＬＥＤ２ａないし２ｃの光量に応じて、様々な発光色で発光することが可能になる。
【００３１】
定電流部３は、ＬＥＤ発光部２に一定の値の電流を供給する。
【００３２】
定電流部３は、定電流回路３ａないし３ｃを含む。
【００３３】
定電流回路３ａは、ＬＥＤ２ａに一定の値の電流を供給し、定電流回路３ｂは、ＬＥＤ２ｂに一定の値の電流を供給し、定電流回路３ｃは、ＬＥＤ２ｃに一定の値の電流を供給する。
【００３４】
太陽電池４は、周囲から光を受け付けると、発電する。また、発電によって生じた電力は、充電回路６を介して二次電池５に供給される。
【００３５】
二次電池５は、太陽電池４にて発電された電力（太陽電池４から供給される電力）を充電する。なお、二次電池５は、例えば、ニッカド電池またはニッケル水素電池である。
【００３６】
充電回路６は、二次電池５の充電を制御する。具体的には、充電回路６は、充電を制御する旨の充電制御信号を制御部１２から受け付け、その充電制御信号に従って二次電池５の充電を制御する。
【００３７】
例えば、充電回路６は、充電を停止する旨の充電停止信号を受け付けると、二次電池５の充電を停止する。また、充電回路６は、充電を開始する旨の充電開始信号を受け付けると、二次電池５の充電を開始する。なお、充電停止信号および充電開始信号は、充電制御信号である。
【００３８】
起電力検知回路７は、太陽電池４にて発電された電力の値（以下では、起電力値という）が点灯基準値以上か否かを検知する。起電力値が点灯基準値未満であると、起電力検知回路７は、起電力値が点灯基準値未満である旨の点灯信号を制御部１２に出力する。
【００３９】
消費電力検知回路８は、二次電池５の電圧の値（以下では、消費電力値という）が停止電圧値以上か否かを検知する。消費電力値が停止電圧値未満であると、消費電力検知回路８は、消費電力値が停止電圧値未満である旨の消費信号を制御部１２に出力する。
【００４０】
満充電検知回路９は、消費電力値が満充電値以上か否かを検知する。消費電力値が満充電値以上であると、満充電検知回路９は、消費電力値が満充電値以上である旨の満充電信号を制御部１２に出力する。
【００４１】
受信部１０は、リモートコントローラ１００から制御信号を受信し、その制御信号を制御部１２に出力する。なお、受信部１０は、例えば、赤外線受信機である。
【００４２】
メモリ１１は、消灯基準値と、制御情報とを記録する。制御情報は、ＬＥＤ発光部２を制御するための情報であり、ＬＥＤ発光部２の発光色、光量および発光モードを含む。
【００４３】
制御部１２は、メモリ１２に記録された制御情報が含む発光色および光量で、ＬＥＤ発光部が発光するように、各ＬＥＤの光量を制御する。
【００４４】
制御部１２は、ＰＷＭスイッチ部１２Ａと、制御回路１２Ｂとを含む。
【００４５】
ＰＷＭスイッチ部１２Ａは、ＬＥＤ２ａないし２ｃへの電力の供給および遮断を制御して、ＬＥＤ２ａないし２ｃの光量を制御する。
【００４６】
ＬＥＤへの電流の供給および遮断が繰り返されると、ＬＥＤは、点灯および消灯を繰り返す。ＬＥＤの点灯および消灯の時間間隔が短いと、人間には、ＬＥＤが常に点灯していると感じられる。
【００４７】
この場合、デューティ比に応じてＬＥＤ発光部２の光量が変化する。デューティ比は、パルス幅と、スイッチング周期との比率である。また、パルス幅は、ＬＥＤに電流が供給されている時間である。また。スイッチング周期は、ＬＥＤに電力が供給された時刻から、次にＬＥＤに電力が供給された時刻までの時間である。
【００４８】
ＰＷＭスイッチ部１２Ａは、ＰＷＭスイッチ１２ａないし１２ｃを含む。
【００４９】
ＰＷＭスイッチ１２ａは、ＬＥＤ２ａへの電力の供給および遮断を制御する。ＰＷＭスイッチ１２ｂは、ＬＥＤ２ｂへの電力の供給および遮断を制御する。ＰＷＭスイッチ１２ｃは、への電力の供給および遮断を制御する。
【００５０】
また、ＰＷＭスイッチ部１２Ａ（具体的には、ＰＷＭスイッチ１２ａないし１２ｃ）は、ＰＷＭ信号を制御回路１２Ｂから受け付ける。ＰＷＭスイッチ部１２Ａは、そのＰＷＭ信号に従って、ＬＥＤ２ａないし２ｃへの電力の供給および遮断を制御する。
【００５１】
ＰＷＭ信号は、パルス幅を示す。
【００５２】
制御回路１２Ｂは、充電回路６を制御する。具体的には、制御回路１２Ｂは、充電制御信号を充電回路６に出力して、充電回路６を制御する。
【００５３】
例えば、制御回路１２Ｂは、満充電検知回路９から満充電信号を受け付けると、充電停止信号を充電回路６に出力する。また、制御回路１２Ｂは、消費電力検知回路８から消費信号を受け付けると、充電開始信号を充電回路６に出力する。
【００５４】
また、制御回路１２Ｂは、ＬＥＤ発光部２の発光色および光量を制御する。具体的には、制御回路１２Ｂは、ＰＷＭスイッチ部１２Ａを制御して、ＬＥＤ発光部２の発光色および光量を制御する。
【００５５】
以下では、制御回路１２ＢがＬＥＤ発光部２の発光色および光量を制御する制御処理を具体的に説明する。
【００５６】
制御回路１２Ｂは、起電力検知回路７から点灯信号を受け付けると、周囲が暗いと判断する。
【００５７】
制御回路１２Ｂは、周囲が暗いと判断すると、メモリ１１に記録された制御情報を確認する。制御回路１２Ｂは、その制御情報に応じたＰＷＭ信号を生成する。
【００５８】
具体的には、制御回路１２Ｂは、その制御情報が含む発光色および光量に応じたパルス幅のＰＷＭ信号をＰＷＭスイッチごとに生成する。さらに言えば、制御回路１２Ｂは、その発光色および光量でＬＥＤ発光部２が発光するような各ＬＥＤの光量に応じたパルス幅のＰＷＭ信号をＰＷＭスイッチごとに生成する。
【００５９】
制御回路１２Ｂは、そのＰＷＭ信号をＰＷＭスイッチ１２ａないし１２ｃに出力する。
【００６０】
その後、制御回路１２Ｂは、その制御情報が含む発光モードに応じて、ＬＥＤ発光部２を制御する。
【００６１】
具体的には、その発光モードが固定モードを示すと、制御回路１２Ｂは、その発光色および光量に応じたパルス幅のＰＷＭ信号を各ＰＷＭスイッチに出力し続ける。
【００６２】
一方、その発光モードが自動モードを示すと、制御回路１２Ｂは、ＬＥＤ発光部２の発光色および光量が時間と共に変化するように、ＰＷＭ信号のパルス幅を時間と共に変化させながら、ＰＷＭ信号を各ＰＷＭスイッチに出力し続ける。
【００６３】
また、制御回路１２Ｂは、消費電力検知回路８から消費信号を受け付けると、制御回路１２Ｂは、ＰＷＭ信号の出力を停止する。
【００６４】
また、制御回路１２Ｂは、受信部１０から制御信号を受け付けると、その制御信号に応じてＬＥＤ２ａないし２ｃを制御する。
【００６５】
例えば、制御回路１２Ｂは、受信部１０から光量設定信号を受け付けると、その光量設定信号にて示された光量でＬＥＤ発光部２が発光するように、ＬＥＤ２ａないし２ｂを制御する。
【００６６】
具体的には、制御回路１２Ｂは、その光量設定信号にて示された光量に応じたパルス幅のＰＷＭ信号をＰＷＭスイッチごとに生成する。制御回路１２Ｂは、そのＰＷＭ信号をＰＷＭスイッチ１２ａないし１２ｂに出力する。
【００６７】
また、制御回路１２Ｂは、受信部１０から色設定信号を受け付けると、その光量設定信号にて示された色を発光色としてＬＥＤ発光部２が発光するように、ＬＥＤ２ａないし２ｂを制御する。
【００６８】
具体的には、制御回路１２Ｂは、その光量設定信号にて示された色に応じたパルス幅のＰＷＭ信号をＰＷＭスイッチごとに生成する。制御回路１２Ｂは、そのＰＷＭ信号をＰＷＭスイッチ１２ａないし１２ｂに出力する。
【００６９】
また、制御回路１２Ｂは、受信部１０からモード設定信号を受け付けると、そのモード設定信号にて示された発光モードでＬＥＤ発光部２が発光するように、ＬＥＤ２ａないし２ｂを制御する。
【００７０】
具体的には、モード設定信号が固定モードを示す場合、制御回路１２Ｂは、メモリ１１に記録された制御情報を確認する。制御回路１２Ｂは、その制御情報が含む発光色および光量に応じたパルス幅のＰＷＭ信号をＰＷＭスイッチごとに生成する。制御回路１２ＢはそのＰＷＭ信号をＰＷＭスイッチ１２ａないし１２ｃに出力する。
【００７１】
また、モード設定信号が自動モードを示す場合、制御回路１２Ｂは、ＬＥＤ発光部２の発光色および光量が時間と共に変化するように、ＰＷＭ信号のパルス幅を変化させながら、ＰＷＭ信号を出力する。
【００７２】
また、制御回路１２Ｂは、その制御信号に応じて、メモリ１１に記録された制御情報を変更する。具体的には、制御回路１２Ｂは、その制御信号が示す色、光量または発光モードをメモリ１１に記録する。なお、制御部１２Ｂは、制御信号が示す色を発光色として記録する。
【００７３】
次に動作を説明する。
【００７４】
図２は、照明装置の動作を説明するためのフローチャートである。具体的には、ＬＥＤの光量を制御する動作を説明するためのフローチャートである。
【００７５】
ステップＳ２０１では、制御回路１２Ｂは、起電力検知回路７にて起電力値が点灯基準値未満と検知されたか否かを確認する。具体的には、制御回路１２Ｂは、起電力検知回路７から点灯信号を受け付けたか否かを確認する。
【００７６】
制御回路１２Ｂは、起電力検知回路７にて電圧値が点灯基準値未満と検知されると、ステップＳ２０２を実行し、起電力検知回路７にて電圧値が点灯基準値以上と検知されると
ステップＳ２０１を実行する。
【００７７】
ステップＳ２０２では、制御回路１２Ｂは、メモリ１１に記録された制御情報を確認する。制御回路１２Ｂは、制御情報を確認すると、ステップＳ２０３を実行する。
【００７８】
ステップＳ２０３では、制御回路１２Ｂは、確認した制御情報に応じたＰＷＭ信号をＰＷＭスイッチごとに生成する。制御回路１２Ｂは、ＰＷＭ信号を生成すると、ステップＳ２０４を実行する。
【００７９】
ステップＳ２０４では、制御回路１２Ｂは、そのＰＷＭ信号をＰＷＭスイッチ１２ａないし１２ｃに出力する。
【００８０】
ＰＷＭスイッチ１２ａないし１２ｃは、ＰＷＭ信号を受け付けると、そのＰＷＭ信号に従って、ＬＥＤ２ａないし２ｃへの電力の供給および遮断を制御して、ＬＥＤ２ａないし２ｃの光量を制御する。
【００８１】
一方、制御回路１２Ｂは、ＰＷＭ信号を出力すると、ステップＳ２０５を実行する。
【００８２】
ステップＳ２０５では、制御回路１２Ｂは、確認した制御情報が含む発光モードに応じたＰＷＭ信号を生成し、そのＰＷＭ信号を出力して、ＬＥＤ発光部２の発光色および光量を制御する。
【００８３】
また、制御回路１２Ｂは、消費電力検知回路８にて消費電力値が停止電圧未満と検知されたか否かを検知する。具体的には、制御回路１２Ｂは、消費電力検知回路８から消費信号を受け付けたか否かを確認する。
【００８４】
制御回路１２Ｂは、消費電力検知回路８にて消費電力値が停止電圧値以上と検知されると、ステップＳ２０６を実行し、消費電力検知回路８にて消費電力値が停止電圧値未満と検知されると、ステップＳ２０８を実行する。
【００８５】
ステップＳ２０６では、制御回路１２Ｂは、受信部１０が制御信号を受け付けたか否かを確認する。具体的には、制御回路１２Ｂは、受信部１０から制御信号を受け付けたか否かを確認する。
【００８６】
制御回路１２Ｂは、受信部１０が制御信号を受け付けると、ステップＳ２０７を実行し、受信部１０が制御信号を受け付けないと、ステップＳ２０５を実行する。
【００８７】
ステップＳ２０７では、制御回路１２Ｂは、その制御信号に応じたＰＷＭ信号を生成し、そのＰＷＭ信号をＰＷＭスイッチ１２ａないし１２ｃに出力する。
【００８８】
ＰＷＭスイッチ１２ａないし１２ｃは、ＰＷＭ信号を受け付けると、そのＰＷＭ信号に従って、ＬＥＤ２ａないし２ｃへの電力の供給および遮断を制御して、ＬＥＤ２ａないし２ｃの光量を制御する。
【００８９】
一方、制御回路１２Ｂは、ＰＷＭ信号を出力すると、その制御信号に応じてメモリ１１に記録された制御情報を変更する。制御回路１２Ｂは、制御情報を変更すると、ステップＳ２０８を実行する。
【００９０】
ステップＳ２０８では、制御回路１２Ｂは、ＰＷＭ信号の出力を停止する。
【００９１】
本実施例によれば、ＬＥＤ発光部２は、異なる色で発光する複数のＬＥＤを含む。制御部１２は、メモリ１１に記録された色および光量でＬＥＤ発光部２が発光するようにＬＥＤ２ａないし２ｂの光量を制御する。
【００９２】
この場合、メモリ１１に所望の発光色および光量が記録されれば、照明装置１は、所望の色および光量で発光することが可能になる。
【００９３】
また、本実施例では、受信部１０は、所望の色を示す色設定信号を受け付け、その色設定信号を出力する。制御部１２は、受付部１０から受け付けた色設定信号にて示される色を発光色としてＬＥＤ発光部１が発光するように、ＬＥＤ２ａないし２ｂの光量を制御する。
【００９４】
この場合、ユーザは、所望の発光色で照明装置を発光させることが可能になる。
【００９５】
また、本実施例では、受信部１０は、所望の光量を示す光量設定信号を受け付け、その光量設定信号を出力する。制御部１２は、受付部１０から受け付けた光量設定信号にて示される光量でＬＥＤ発光部１が発光するように、ＬＥＤ２ａないし２ｂの光量を制御する。
【００９６】
この場合、ユーザは、所望の光量で照明装置を発光させることが可能になる。
【００９７】
また、照明装置１は、リモートコントローラ１００と無線にて接続される。また、受信部１０は、リモートコントローラ１００から色設定情報および光量設定情報を受け付ける。
【００９８】
この場合、ユーザは、照明装置１から離れた場所からでも所望の発光色および光量で照明装置１を発光させることが可能になる。よって、容易に所望の発光色および光量で照明装置１を発光させることが可能になる。
【００９９】
次に、照明装置の応用例について説明する。
【０１００】
先ず、照明装置１を応用した庭園灯について説明する。
【０１０１】
図３ａは、庭園灯の一例を示した平面図である。なお、図３ａにおいて、図１と同一の構成要件には同一の符号が付してある。
【０１０２】
図３ａにおいて、庭園灯３０は、ＬＥＤ発光部２と、太陽電池４と、回路電池部３１と、カバー３２と、支柱３３とを含む。
【０１０３】
なお、回路電池部３０は、定電流部３、二次電池５、充電回路６、起電力検知回路７、消費電力検知回路８、満充電検知回路９、受信部１０、メモリ１１および制御部１２にて形成される。また、照明装置１は、ＬＥＤ発光部２、太陽電池４および回路電池部３１にて形成される。
【０１０４】
カバー３２は、ＬＥＤ発光部２および回路電池部３１を覆い、ＬＥＤ発光部２および回路電池部３１を、風雨などから保護する。
【０１０５】
また、カバー３２の上部には、太陽電池４が設けられている。これにより、太陽電池４に光を受け付け易くすることが可能になっている。
【０１０６】
図３ｂは、庭園灯３０の上面図である。図３ｂでは、カバー３２と、カバー３２の上部に設けられた太陽電池４が示されている。
【０１０７】
支柱１０２は、杭状であり、地面に突き刺すことが可能である。
【０１０８】
照明器具が庭園に設置された場合、ユーザがその照明器具に近づくことが困難な場合がある。
【０１０９】
庭園灯３０には、照明装置１が含まれている。このため、ユーザは、庭園灯３０に近づかなくても、リモートコントローラ１００を用いて、庭園灯３０の発光色および光量を変更することが可能になる。
【０１１０】
よって、ユーザが近づくことが困難な場所に庭園灯が設置されても、庭園灯の発光色および光量を、容易に変更することが可能になる。
【０１１１】
次に、照明装置１を応用したインテリア照明器具について説明する。
【０１１２】
図４は、インテリア照明器具の一例を示した立体図である。なお、図４において、図１または図３ａと同一の構成要件には同一の符号が付してある。
【０１１３】
図４において、インテリア照明器具４０は、ＬＥＤ発光部２と、太陽電池４と、回路電池部３１と、防水透明ケース４１とを含む。なお、インテリア照明器具４０は、池などの水に浮かべることが可能である。
【０１１４】
防水透明ケース４１は、ＬＥＤ発光部２、太陽電池４および回路電池部３１を水から保護する。
【０１１５】
なお、インテリア照明器具４０は、水に浮かべられると、風または水流によって、移動する可能性がある。インテリア照明器具４０が移動しないために、防水透明ケース４１の下部に重りが設けられても良い。
【０１１６】
照明器具が水に浮かべられている場合、ユーザがその照明器具に近づくことが困難な場合がある。
【０１１７】
インテリア照明器具４０は、照明装置１が含まれている。このため、ユーザは、インテリア照明器具４０に近づかなくても、リモートコントローラ１００を用いて、インテリア照明器具４０が発する光の色および光量を設定することが可能になる。
【０１１８】
よって、ユーザが近づくことが困難な場所にインテリア照明器具が設置されても、インテリア照明器具の発光色および光量を、容易に設定することが可能になる。
【０１１９】
以上説明した実施例において、図示した構成は単なる一例であって、本発明はその構成に限定されるものではない。
【０１２０】
例えば、照明装置１は、図１に示した構成に加え、光センサをさらに含んでも良い。
【０１２１】
光センサは、周囲の光の強度を測定し、その強度を制御回路１２Ｂに出力する。制御装置１２は、光センサから光の強度を受け付けると、その強度に基づいて周囲が明るいか否かを判断する。
【０１２２】
制御回路１２Ｂは、周囲が暗いと判断すると、メモリ１１に記録された消費電力値の和を０に初期化する。その後、ステップＳ２０３ないしステップＳ２０９が実行される。
【０１２３】
この場合、照明装置１は、起電力検知回路７を含まなくてもよい。
【０１２４】
また、照明装置１は、図１に示した構成に加え、タイマ部をさらに含んでも良い。
【０１２５】
この場合、ステップＳ２０４で、制御回路１２Ｂは、ＰＷＭ信号を出力すると、タイマ部にタイマ設定を行う。
【０１２６】
その後、タイマ部は、タイマ設定された時間が経過すると、その設定された時間が経過した旨のタイマ信号を制御回路１２Ｂに出力する。制御回路１２Ｂは、そのタイマ信号を受け付けると、ＰＷＭ信号の出力を停止する。
【０１２７】
この場合、照明装置１は、消費電力検知回路８を含まなくてもよい。
【図面の簡単な説明】
【０１２８】
【図１】本発明の一実施例の照明装置を示した回路図である。
【図２】照明装置の動作の一例を説明するためのフローチャートである。
【図３ａ】庭園灯の一例を示した平面図である。
【図３ｂ】庭園灯の上面を示した平面図である。
【図４】インテリア照明器具の一例を示した立体図である。
【符号の説明】
【０１２９】
１    照明装置
２        ＬＥＤ発光部
２ａ      ＬＥＤ
２ｂ      ＬＥＤ
２ｃ      ＬＥＤ
３        定電流部
３ａ      定電流回路
３ｂ      定電流回路
３ｃ      定電流回路
４        太陽電池
５        二次電池
６        充電回路
７        起電力検知回路
８        消費電力検知回路
９        満充電検知回路
１０      受信部
１１      メモリ
１２      制御部
１２Ａ    制御回路
１２Ｂ    ＰＷＭスイッチ部
１２ａ    ＰＷＭスイッチ
１２ｂ    ＰＷＭスイッチ
１２ｃ    ＰＷＭスイッチ
３０      庭園灯
３１      カバー
３２      支柱
４０      インテリア照明器具
４１      防水透明ケース
１００    リモートコントローラ
【図１】
2007227324.tif 000003
【図２】
2007227324.tif 000004
【図３ａ】
2007227324.tif 000005
【図３ｂ】
2007227324.tif 000006
【図４】
2007227324.tif 000007